(57)【要約】【課題】  より簡単な構成で、水容器自体に飲み水を補給するのが簡単で、地面等に飲み皿を置いて、飲み水を与えるという使い方ができる、動物用携帯水飲器を提供する。【解決手段】  動物の飲み水を充填しておくボトル状の水容器２と、この水容器２を着脱可能に収容保持すると共に、携行可能に構成した飲み皿３とで構成する。  前記飲み皿３は略平坦な底部３ａと、長さ寸法が前記水容器２よりも若干長い寸法を有し、周壁部３ｂ長手内側面に、前記水容器２を周壁部３ｂによって受け入れ、周壁部３ｂの弾力により圧接保持できるように凹面部Ｃを形成する。  前記水容器２は、首部２ｂ頂部に所定の径の飲み水の補給口５を有し、この補給口５に螺着して補給口５を閉止してなる栓部材６を有し、この栓部材６には、飲み水を前記飲み皿３に制限された流量で注水可能な注水手段７を設ける。【選択図】              図１
2006158278.tif 000002
【特許請求の範囲】
【請求項１】
水容器と、この水容器を着脱可能に収容保持すると共に、携行可能に構成した飲み皿とを備え、前記水容器は、飲み水の補給口と、この補給口を閉止してなる栓部材とを有し、前記飲み皿は、弾性変形可能な素材により構成した、略平坦な底部と、前記水容器を収容すると共に、水容器からの飲み水を受ける内側空間を形成する周壁部とを有し、この周壁部のうち、相対する長手側周壁部内側面間の寸法を前記水容器の外径寸法に比較して小とすると共に、前記周壁内側面に、前記水容器を弾性的に圧接保持する凹面部を形成したことを特徴とする動物用携帯水飲器。
【請求項２】
水容器と、この水容器を着脱可能に収容保持すると共に、携行可能に構成した飲み皿とを備え、前記水容器は、飲み水の補給口と、この補給口を閉止してなる栓部材とを有し、前記飲み皿は、弾性変形可能な素材により構成した、略平坦な底部と、前記水容器を収容すると共に、水容器からの飲み水を受ける内側空間を形成する周壁部とを有し、この周壁部のうち、相対する長手側周壁部に、相対する間隔が前記水容器の外径寸法に比較して小とするように、飲み皿内側空間内方へ近接する、前記水容器の案内部材兼用保持部材を設けたことを特徴とする動物用携帯水飲器。
【請求項３】
前記栓部材には、飲み水を前記飲み皿に注水するための注水手段を設けたことを特徴とする請求項１または２記載の動物用携帯水飲器。
【請求項４】
前記注水手段は、前記栓部材頂部側に、前記水容器を押圧することで、変形開口する常閉切離部を備えたことを特徴とする請求項３記載の動物用携帯水飲器。
【請求項５】
前記飲み皿には、接地面積を拡大する拡大手段を設けたことを特徴とする請求項１ないし３記載のうち、いずれか１記載の動物用携帯水飲器。
【請求項６】
前記拡大手段は、前記飲み皿の底部に、磁力によって、飲み皿長手側方に回動突出可能に保持する安定板を備えたことを特徴とする請求項５記載の動物用携帯水飲器。
【発明の詳細な説明】
【技術分野】
【０００１】
本発明は、簡単な構成で、しかも飲み水の補給が容易であり、地面等に置いて、飲み水を与えるといった使い方ができる、動物用携帯水飲器に関するものである。
【背景技術】
【０００２】
従来から、犬を近所の公園等へ連れ歩く飼い主の姿がよく見かけられてきた。最近では、レクリェーション等の遠出の際も、犬を車などに乗せて、行き先にて連れ歩く飼い主も増えてきている。このようなときには、様々な犬の用品が必要となってくる。
その際、例えば、犬の餌、飲み水を与える道具は、犬を引き連れるための首輪と引き綱同様、必需品となっている。
【０００３】
その飲み水を与える道具としては、
【特許文献１】特表２００２−５１０４７０に提案されている。  この公報に開示されている犬用の携帯水分与飲み器では、水容器と、容器の出口に対して取外し可能に装着した可撓弁組立体と、飲み皿とで構成したものである。前記水容器は飲み皿に対してその上の弁組立体により枢着され、前記水容器は畳まれた保存位置から容器が皿の上方で傾斜した転回位置へ動かすことができるようになっている。前記弁組立体は可撓弁部材と、前記弁部材から突出した作動アームおよび弁部材の凹入端壁内の水出口スリットとを有し、このスリットは作動アームに対して直角に配置している。  このような構成により、水容器が給仕位置へ動かすことにより、弁部材上の作動アームが飲み皿内の停止部材に衝合して撓み、弁部材を開放するので、飲み水が飲み皿に流出して、これにより犬が飲み皿に溜まった飲み水を飲むことができるというわけである。
【発明の開示】
【発明が解決しようとする課題】
【０００４】
確かに、上記特許文献１によれば、水容器を給仕位置へ動かすだけで、飲み水が飲み皿に流出して、犬は飲み皿を介して飲み水を飲むことができるのであるが、水容器と飲み皿とは、弁組立体を水容器の補給口に螺着することで、取り外し可能な状態で結合しているので、飲み水の補給時の操作性に難点がある。
すなわち、水容器内に飲み水を補給するときは、水容器を飲み皿に支持された弁組立体に対して緩む側に回転させて、水容器を前記弁組立体から取り外して、水容器の補給口を開放すればよいのであるが、水容器内に飲み水を補給して、飲み皿に組立体を介して取り付けるときは、補給された飲み水により重くなった水容器を、水容器の補給口に前記弁組立体を合わせた状態で締める方向に回転させるか、あるいは水容器側を立てて固定した状態で、弁組立体を飲み皿ごと一緒に回して、水容器の補給口に取り付けなくてはならない。
また、前記携帯水分与飲み器は、飲み皿を地面等に置いて飲み水を与えることは想定しておらず、飲み水を与えているときは、水容器を手で持ち続けなくてはならない。手を前記水容器から離してしまうと、水容器内の飲み水の重みで飲み皿ごと引っ繰り返ってしまうからである。
本発明はこのような背景から提案されたものであって、より簡単な構成で、水容器自体に飲み水を補給するのが簡単で、地面等に飲み皿を置いて、飲み水を与えるという使い方ができる、動物用携帯水飲器を提供することを目的とする。
【課題を解決するための手段】
【０００５】
前記した課題を解決するために、本発明では、請求項１において、水容器と、この水容器を着脱可能に収容保持すると共に、携行可能に構成した飲み皿とを備え、前記水容器は、飲み水の補給口と、この補給口を閉止してなる栓部材とを有し、前記飲み皿は、弾性変形可能な素材により構成した、略平坦な底部と、前記水容器を収容すると共に、水容器からの飲み水を受ける内側空間を形成する周壁部とを有し、この周壁部のうち、相対する長手側周壁部内側面間の寸法を前記水容器の外径寸法に比較して小とすると共に、前記周壁内側面に、前記水容器を弾性的に圧接保持する凹面部を形成した動物用携帯水飲器を提案する。
また本発明では、請求項２において、水容器と、この水容器を着脱可能に収容保持すると共に、携行可能に構成した飲み皿とを備え、前記水容器は、飲み水の補給口と、この補給口を閉止してなる栓部材とを有し、前記飲み皿は、弾性変形可能な素材により構成した、略平坦な底部と、前記水容器を収容すると共に、水容器からの飲み水を受ける内側空間を形成する周壁部とを有し、この周壁部のうち、相対する長手側周壁部に、相対する間隔が前記水容器の外径寸法に比較して小とするように、飲み皿内側空間内方へ近接する、前記水容器の案内部材兼用保持部材を設けた動物用携帯水飲器を提案する。
また本発明では、請求項３において、前記栓部材には、飲み水を前記飲み皿に注水するための注水手段を設けた動物用携帯水飲器を提案する。
また本発明では、請求項４において、前記注水手段は、前記栓部材頂部側に、前記水容器を押圧することで、変形開口する常閉切離部を備えた動物用携帯水飲器を提案する。
また本発明では、請求項５において、前記飲み皿には、接地面積を拡大する拡大手段を設けた動物用携帯水飲器を提案する。
さらに本発明では、請求項６において、前記拡大手段は、前記飲み皿の底部に、磁力によって、飲み皿長手側方に回動突出可能に保持する安定板を備えた動物用携帯水飲器を提案する。
【発明の効果】
【０００６】
本発明によれば、飲み水を与える際に、水容器を手で持ち続けなくてはならないということはなく、これまでは想定していなかった、地面等に飲み皿を置いて飲み水を与えるということも簡単にでき、しかも水容器自体への飲み水の補給も簡単であるという、取り扱い性も問題ない、動物用携帯水飲器を提供することができる。
【０００７】
請求項１によれば、使用に当たり、水容器を飲み皿から飲み皿の弾性力に抗して取り外す。前記水容器へは、栓部材を補給口から外して補給口から飲み水を補給することができる。
動物に飲み水を与えるときは、飲み皿を略平坦な底部を介し地面等に置くことができ、水容器の栓部材を取り外して、飲み皿内側空間に飲み水を適量、注ぐようにする。
【０００８】
請求項２によれば、水容器は、飲み皿内側空間に、案内部材兼用保持部材を介して収容する。この案内部材兼用保持部材は、相対する間隔が前記水容器の外径寸法に比較して小としているので、脱落することなく前記水容器を保持することができる。
【０００９】
請求項３によれば、使用に当たり、水容器を飲み皿から取り外し、前記水容器の栓部材の注水手段を飲み皿に向けて飲み水を注ぎ、動物の飲用に供することができる。
【００１０】
請求項４によれば、使用に当たり、水容器を飲み皿から取り外し、水容器を手などで外周から押し込むことで、栓部材頂部側の常閉切離部が変形開口し、前記水容器から飲み水を注ぐことができる。
【００１１】
請求項５によれば、使用に当たり、水容器を飲み皿から取り外し、飲み皿を地面上において飲み水を注ぐ際、拡大手段を拡大することで前記飲み皿は、安定性が増す。
【００１２】
請求項６によれば、安定板は、飲み皿を床面に於いて使用する際に、飲み皿長手側方に回動突出させて磁力によって動かないように保持することができ、操作が簡単である。
【発明を実施するための最良の形態】
【００１３】
以下、本発明にかかる動物用携帯水飲器につき、一つの実施の態様を挙げ、添付の図面に基づいて説明する。
【実施例１】
【００１４】
図１、図２に動物用携帯水飲器１を示す。この動物用携帯水飲器１は、動物の飲み水を充填しておくボトル状の水容器２と、この水容器２を着脱可能に収容保持すると共に、携行可能に構成した飲み皿３とで構成している。
【００１５】
前記水容器２には、周知のＰＥＴボトルを用いることができ、前記飲み皿３は、前記水容器２を、脱落しないように収容保持する寸法の弾性変形可能な合成樹脂成形体よりなる。
すなわち、飲み皿３は略平坦な底部３ａと、長さ寸法が前記水容器２よりも若干長い寸法を有し、深さが前記水容器２の最大外径に比較して若干小さい寸法とした周壁部３ｂとで、飲み水を受ける内側空間を構成している。
またこの飲み皿３の内側幅寸法が、水容器２の外径に比較して小さい寸法としており、周壁部３ｂ長手内側面には、前記水容器２を周壁部３ｂによって受け入れ、周壁部３ｂの弾力により圧接保持できるように凹面部Ｃを形成している。なお、これら凹面部Ｃに対応した周壁部３ｂ長手外側面には、凸面部Ｂを形成している（図３参照）。
また、飲み皿３の長手側両端形状は、前記周壁部３ｂにより平面円弧状に形成している。そして、収容される水容器２の栓部材（後述）近傍の飲み皿３の長手側一端には、携帯する際の吊下げ紐部材４を取り付けている。
【００１６】
次に、前記水容器２は、周知のボトル形状であり、片手で握り可能な胴部２ａと首部２ｂとを有し、この首部２ｂ頂部に所定の径の飲み水の補給口５を有している。この補給口５外周にはねじ山が形成され、この補給口５に螺着して補給口５を閉止してなる栓部材６とを有し、この栓部材６には、飲み水を前記飲み皿３に制限された流量で注水可能な注水手段７を設けている（図４参照）。
【００１７】
そこで、これら栓部材６、注水手段７について説明する。
すなわち前記栓部材６は、周知の合成樹脂材よりなり、前記補給口５に螺着すべき栓基部６ａと、後述する注水手段７として機能する肉薄の、拡縮変形しやすいドーム形状の膨出部６ｔとで一体構成している。
そして、前記注水手段７は、前記栓部材６における膨出部６ｔ頂部側に、前記水容器２を押圧することで、前記膨出部６ｔが拡張変形して変形開口可能に構成した常閉切離部８を備えている。すなわちこの切離部８は、所定の長さの切込みであり、通常時は密閉状態にあり、弾力により前記膨出部６ｔが拡張変形することで、飲み水が流出可能に開口する構成である。
【００１８】
以上のような動物用携帯水飲器１において、例えば、気温の高い日や、乾燥した日など、長距離、散歩に犬を引き連れるときは、飼い主は携帯水飲器１を携行するようにするとよい。
この際、飼い主は予め、水容器２に飲み水に充填しておくようにする。
先ず、飼い主は、水容器２を飲み皿３から取り外す。水容器２は、飲み皿３の内側空間を形成する周壁部３ｂ内側面の、中間部位の凹面部Ｃにおいて、周壁部３ｂの弾力により圧接保持されているので、この周壁部３ｂの弾力に抗して、前記水容器２の首部２ｂ、栓基部６ａあたりを持って簡単に取り外すことができる。
次いで、栓部材６を緩めて取り外し、補給口５を露出させ、飲み水を簡単に補給口５から水容器２内に補給することができる。
次に、再び前記栓部材６を回して、補給口５を閉止し、水容器２の胴部２ａを持って飲み皿３の内側空間に水容器２を、周壁部３ｂの弾力に抗して押し込み、胴部２ａが周壁部３ｂ内側面の凹面部Ｃにおいて、周壁部３ｂの弾力により圧接保持することができる（図１参照）。
そして、飼い主は、腰のベルトなどに吊下げ紐部材４を引っ掛けて、携帯水飲器１を携行することができる。
【００１９】
散歩途中で、犬が、例えば、さかんに喉を鳴らすようなしぐさをしたような場合や、突然動かなくなったようなときは、飼い主は、犬が一休みしたいというシグナルだとして、腰ベルトから携帯水飲器１を手にとり、水容器２を飲み皿３から取り外す。
次いで、前記飲み皿３を犬の目の前の地面に置く。そして、水容器２の胴部２ａを持って、水容器２を傾けていき、首部２ｂ頂部の栓部材６を飲み皿３の内側空間に向ける。
このとき、水容器２の胴部２ａを押し込むように握ると、水容器２内の飲み水の重みと、内圧が上昇することによって、栓部材６先端の膨出部６ｔが拡張変形して、常閉切離部８が開口するので、飲み水が流出する。前記切離部８が形成する開口面積は、補給口５に比較して格段に小さいので、飲み水を前記飲み皿３に制限された流量で注水することができるのである（図５参照）。
これによって、犬は、喉の乾きをいやすことができる。
【００２０】
以上のように、これまでのように、飲み水を与える際に、水容器２を手で持ち続けなくてはならないということはなく、地面等に飲み皿３を置いて飲み水を与えるようにしたので、他の固形の餌を与えると同時に飲み水を与えるということも簡単にできる。
しかも水容器２は簡単に飲み皿３から取り外すことができ、栓部材６を緩めたり締めたりするだけであるので、水容器２自体への飲み水の補給も簡単であるという、取り扱い性も向上する。
【００２１】
以上、本発明にかかる動物用携帯水飲器１につき、一つの実施の態様を挙げ説明したが、動物用携帯水飲器１は次のように構成することもできる。
栓部材６は、注水手段７等設けることなく、ただの栓手段であってもよい。このような構成とすれば、一層、構成を単純化することができる。
【００２２】
また、本発明にかかる動物用携帯水飲器１は、図６、図７に示すように構成することもできる。
すなわち、この動物用携帯水飲器１では、相対する長手側周壁部３ｂに、相対する間隔が水容器２の外径寸法に比較して小とするように、飲み皿３内側空間内方へ近接する、前記水容器２の案内部材兼用保持部材９、９を設ける構成としている。
【００２３】
このような構成によれば、水容器２を、飲み皿内側空間に収容する際、案内部材兼用保持部材９、９の相対する間隔が、前記水容器２の外径寸法に比較して小としているので、脱落することなく前記水容器２を保持することができる。
【００２４】
さらに本願発明では、飲み皿３には、図８〜図１０に示すように、接地面積を拡大する適宜な拡大手段１０を設けることもできる。勿論、この拡大手段１０は一例に過ぎなく、他の周知の手段も可能である。
この拡大手段１０としては、例えば飲み皿３の底部３ａに、飲み皿３長手側方に回動突出可能に取り付けた一対の安定板１１、１１を備えている。
これら安定板１１、１１は、一対の長手方向の寸法が、飲み皿３長手寸法に略同一として、それぞれ異極の周知の素材の磁石Ｍａ，Ｍｂによって飲み皿３底部３ａに、回動突出可能に保持する構成である。
すなわち、前記飲み皿３底部３ａに、前記安定板１１、１１の回動中心とするべく円盤状磁石Ｍａ、Ｍａを適宜な接着剤で接着し、前記安定板１１、１１側に、前記円盤状磁石Ｍａ、Ｍａに嵌着可能な円環型磁石Ｍｂ、Ｍｂを植設している。
【００２５】
このような飲み皿３によれば、使用に当たり、飲み皿３を地面上において飲み水を注ぐ際、前記飲み皿３を平坦な底部３ａに設けた、拡大手段１０である、安定板１１、１１を飲み皿３長手側方に回動突出させて、それぞれ異極の磁石Ｍａ，Ｍｂによって、前記安定板１１、１１を保持することができるので、接地面積が拡大し、一層、接地性、安定性を高めることができる。
【図面の簡単な説明】
【００２６】
【図１】本発明にかかる動物用携帯水飲器の一つの実施の形態を示す、斜視説明図である。
【図２】図１に示す動物用携帯水飲器の側面図である。
【図３】図１に示す動物用携帯水飲器の正面図である。
【図４】図１に示す動物用携帯水飲器における水容器の斜視説明図である。
【図５】本発明にかかる動物用携帯水飲器の使用状態を示す、斜視説明図である。
【図６】本発明にかかる動物用携帯水飲器の別の実施の形態を示す、斜視説明図である。
【図７】図６に示す動物用携帯水飲器の正面図である。
【図８】接地面積の拡大手段を備えた動物用携帯水飲器の別の実施の形態を示す、分解斜視説明図である。
【図９】図８に示す拡大手段の機能を示す、斜視説明図である。
【図１０】図８に示す動物用携帯水飲器の使用状態における斜視説明図である。
【符号の説明】
【００２７】
１                            動物用携帯水飲器
２                            水容器
２ａ                          胴部
２ｂ                          首部
３                            飲み皿
３ａ                          底部
３ｂ                          周壁部
４                            吊下げ紐部材
５                            補給口
６                            栓部材
６ａ                          栓基部
６ｔ                          膨出部
７                            注水手段
８                            常閉切離部
９                            案内部材兼用保持部材
１０                          拡大手段
１１                          安定板
Ｃ                            凹面部
Ｂ                            凸面部
Ｍａ、Ｍｂ                    磁石
【図１】
2006158278.tif 000003
【図２】
2006158278.tif 000004
【図３】
2006158278.tif 000005
【図４】
2006158278.tif 000006
【図５】
2006158278.tif 000007
【図６】
2006158278.tif 000008
【図７】
2006158278.tif 000009
【図８】
2006158278.tif 000010
【図９】
2006158278.tif 000011
【図１０】
2006158278.tif 000012